(57)【要約】      （修正有）【課題】本体をガラスの表面に容易に固定でき、ガラスの表面に対する本体の付着状態を長期間に亘って安定的に維持することができるガラス付着式広告装置を提供する。【解決手段】ガラス付着式広告装置は、前方に支持される広告紙を照明するために、前方に光を照射する光源が内蔵されている本体１０と、本体をガラス２の表面に前面が支持された状態で固定させる固定ユニットと、本体の中央の前方の上部に延設してある延長部５０と、を含み、固定ユニットは、第１の固定部と第２の固定部とを含み、第１の固定部は、第１の面ファスナー部６１と掛け孔６２とを含み、第２の固定部は、第２の面ファスナー部７１と掛け具７２とを含み、第１および第２の面ファスナー部は、掛け孔が掛け具に掛けてある状態で、互いに一致する。【選択図】図３
0003228578.tif 000002
【実用新案登録請求の範囲】
【請求項１】
前方に支持される広告紙を照明するために、前方に光を照射する光源が内蔵されている本体と、
当該本体をガラスの表面に前面が支持された状態で固定させる固定ユニットと、
前記本体の中央の前方の上部に延設してある延長部と、を含み、
前記固定ユニットは、前記延長部に設けられる第１の固定部と、当該第１の固定部が固定されるように前記ガラスの表面に設けられる第２の固定部と、を含み、
前記第１の固定部は、雌ベルクロおよび雄ベルクロの何れかの一方が設けてある第１のベルクロ部と、掛け孔と、を含み、
前記第２の固定部は、前記第１のベルクロ部が引っ掛るように、前記雌ベルクロおよび前記雄ベルクロの何れかの他方が設けてある第２のベルクロ部と、前記掛け孔に掛け止めるように設けられる掛け具と、を含み、
前記第１のベルクロ部および前記第２のベルクロ部は、前記掛け孔が前記掛け具に掛けてある状態で、互いに一致するガラス付着式広告装置。
【請求項２】
前記掛け孔は、前記第１のベルクロ部の上部の前記延長部に設けられ、前記掛け具と前記第２のベルクロ部とは、前記掛け孔と前記第１のベルクロ部との位置に対応するように、前記ガラスの表面に上下に配置される請求項１記載のガラス付着式広告装置。
【請求項３】
前記第１のベルクロ部および前記第２のベルクロ部のそれぞれは、第１の接着層をさらに含んで、当該第１の接着層を介してそれぞれ前記延長部の前面および前記ガラスの表面に接着され、
前記掛け具がその背面から突き出すように設けられ、その前面が第２の接着層を介して前記ガラスの表面に付着し、前記掛け孔を前記掛け具に掛けている状態で、前記延長部の前面が、その背面に支持される透明板材をさらに含み、
互いに引っ掛かっている状態の前記第１のベルクロ部および前記第２のベルクロ部の厚さの合計は、前記透明板材および前記第２の接着層の厚さの合計と同様に設定してある請求項２記載のガラス付着式広告装置。
【請求項４】
前記掛け具は、上下方向に沿って複数設けられ、
前記掛け孔は、複数の前記掛け具に同時に引っ掛けて支持されるように、前記掛け具の数に対応して複数設けられ、複数の前記掛け孔は、前記延長部の延長方向に沿って設けられる請求項３記載のガラス付着式広告装置。
【請求項５】
前記固定ユニットを覆うように、前記本体が支持される前記ガラスの反対側の表面に付着される隠蔽シートをさらに含み、
当該隠蔽シートの内郭線は、前記本体の外郭線に合わせてある請求項１記載のガラス付着式広告装置。
【考案の詳細な説明】
【技術分野】
【０００１】
本考案は、ガラスに付着するガラス付着式広告装置に関する。
【背景技術】
【０００２】
近年、ガラスの表面に付着するガラス付着式広告装置が多く利用されている。ガラス付着式広告装置は、前面の広告画像が店舗の外部に表示されるよう店舗のガラスの内面側に付着し、室内に配設するのが一般的である。
【０００３】
室内に配設するガラス付着式広告装置は、通行人によって破損される虞が少ない。また、ガラス付着式広告装置は、広告画像の視認性を高めるために広告画像に光を照射するための照明装置などをさらに備えるものもある。室内に配設するガラス付着式広告装置は、照明装置を保護するための別の防水構造を備える必要がなくなり、製造においても経済的な利点を有する。
【０００４】
ガラス付着式広告装置の設置の際には、通常、外周縁に沿って配置される複数の吸盤によってガラスの表面に付着した状態で固定される。吸盤は、広告ユニットが空中浮揚された状態でガラスに付着しているように見せるために、透明または半透明の材質を用いることにより、設置状態の広告装置に神秘感を与えることができる。
【０００５】
しかし、このようなガラス付着式広告装置は、外周縁に配置される多数の吸盤をガラスの表面に固定する過程があるため、設置作業に時間を要する可能性がある。
【０００６】
また、真空圧にて付着力を維持する吸盤は、経時的にその内部に空気が侵入すると真空状態が弱まるため、ガラス付着式広告装置を長期間に亘って設置面に付着するには限界がある。
【０００７】
また、透明または半透明の吸盤の場合、ガラスとの質感の違いがあるため、その位置が外部から視認される可能性がある。さらに、このような多数の吸盤を外周縁に沿って配置するガラス付着式広告装置は、神秘感を与えるために空中浮揚しているように見せることにも限界がある。
【考案の概要】
【考案が解決しようとする課題】
【０００８】
従って、本考案の目的は、本体をガラスの表面に容易に固定できるだけでなく、ガラスの表面に対する本体の付着状態を長期間に亘って安定的に維持することができるガラス付着式広告装置を提供することにある。
【０００９】
また、本考案の目的は、本体が空中浮揚した状態で、ガラスに付着しているように見える効果をさらに高めることができるガラス付着式広告装置を提供することにある。
【課題を解決するための手段】
【００１０】
すなわち、本考案に係るガラス付着式広告装置は、前方に支持される広告紙を照明するために、前方に光を照射する光源が内蔵されている本体と、当該本体をガラスの表面に前面が支持された状態で固定させる固定ユニットと、前記本体の中央の前方の上部に延設してある延長部と、を含み、前記固定ユニットは、前記延長部に設けられる第１の固定部と、当該第１の固定部が固定されるように前記ガラスの表面に設けられる第２の固定部と、を含み、前記第１の固定部は、雌ベルクロおよび雄ベルクロの何れかの一方が設けてある第１のベルクロ部と、掛け孔と、を含み、前記第２の固定部は、前記第１のベルクロ部が引っ掛るように、前記雌ベルクロおよび前記雄ベルクロの何れかの他方が設けてある第２のベルクロ部と、前記掛け孔に掛け止めるように設けられる掛け具と、を含み、前記第１のベルクロ部および前記第２のベルクロ部は、前記掛け孔が前記掛け具に掛けてある状態で、互いに一致することを特徴とする。
【００１１】
また、前記掛け孔は、前記第１のベルクロ部の上部の前記延長部に設けられ、前記掛け具と前記第２のベルクロ部とは、前記掛け孔と前記第１のベルクロ部との位置に対応するように、前記ガラスの表面に上下に配置されることを特徴とする。
【００１２】
また、前記第１のベルクロ部および前記第２のベルクロ部のそれぞれは、第１の接着層をさらに含んで、当該第１の接着層を介してそれぞれ前記延長部の前面および前記ガラスの表面に接着され、前記掛け具がその背面から突き出すように設けられ、その前面が第２の接着層を介して前記ガラスの表面に付着し、前記掛け孔を前記掛け具に掛けている状態で、前記延長部の前面が、その背面に支持される透明板材をさらに含み、互いに引っ掛かっている状態の前記第１のベルクロ部および前記第２のベルクロ部の厚さの合計は、前記透明板材および前記第２の接着層の厚さと同様に設定してあることを特徴とする。
【００１３】
また、前記掛け具は、上下方向に沿って複数設けられ、前記掛け孔は、複数の前記掛け具に同時に掛けて支持されるように、前記掛け具の数に対応して複数設けられ、複数の前記掛け孔は、前記延長部の延長方向に沿って設けられることを特徴とする。
【００１４】
また、前記固定ユニットを覆うように、前記本体が支持される前記ガラスの反対側の表面に付着される隠蔽シートをさらに含み、当該隠蔽シートの内郭線は、前記本体の外郭線に合わせてあることを特徴とする。
【考案の効果】
【００１５】
本考案の一つの実施形態に係るガラス付着式広告装置によれば、固定ユニットにおける簡単な掛け構造とベルクロ（登録商標）の付着力とを用いて、本体をガラスの表面に固定するので、本体をガラスの表面に容易に固定することはもちろん、ガラスの表面に対する本体の付着状態を長期間に亘って安定的に維持することができる。
【００１６】
また、本考案の一つの実施形態に係るガラス付着式広告装置は、本体の外周縁に沿って配置される固定ユニットの分布領域を減らしたり、または固定ユニットの露出を防止することができるため、本体が空中浮揚された状態でガラスに付着しているように見える効果をさらに高めることができる。
【図面の簡単な説明】
【００１７】
【図１】一実施形態におけるガラス付着式広告装置の分解斜視図である。
【図２】図１に示したガラス付着式広告装置の組立斜視図である。
【図３】図２に示したガラス付着式広告装置が、ガラスの表面に付着される過程を示した断面図である。
【図４】一実施形態におけるガラス付着式広告装置の一変形例として、ガラスの表面に付着される過程を示した断面図である。
【図５】一実施形態におけるガラス付着式広告装置の他の変形例を示した断面図である。
【考案を実施するための形態】
【００１８】
以下、本考案の実施形態を添付図面を参照して詳細に説明する。下記で紹介する実施形態は本考案が属する技術分野で通常の知識を有した者に本考案の思想を十分に伝達するために提示するものである。本考案は提示する実施形態だけに限定されず、他の形態でも具体化され得る。図面は本考案を明確にするために、説明と関係のない部分の図示を省略することができ、理解のために構成要素の大きさなどを多少誇張して表現することができる
【００１９】
図１および図２は、一実施形態におけるガラス付着式広告装置の分解斜視図および組立斜視図であり、また、図３は、一実施形態におけるガラス付着式広告装置が、ガラスの表面に付着される過程を示した断面図である。
【００２０】
図１ないし図３に示したように、一実施形態におけるガラス付着式広告装置１は、本体１０と、本体１０をガラス２の表面に固定させる固定ユニット２０と、を備える。
【００２１】
本体１０の前方には広告紙３が支持され、本体１０の内部には、広告紙３を照明するために前方へ光を照射する光源３０が内蔵される。
【００２２】
本体１０は矩形の厚みの薄い筐体で構成してあり、固定ユニット２０は、本体１０の前面がガラス２の表面に支持された状態で、ガラス２の表面に本体１０を固定させることができる。
【００２３】
このようなガラス付着式広告装置１は、固定ユニット２０を介してガラス２の表面に直接固定された状態で、光源３０の光によって本体１０の前面の広告紙３を照明することによって、広告紙３に表示される画像を視覚的に目立つようにすることができる。
【００２４】
ガラス付着式広告装置１は、店舗の広告用として利用でき、前記ガラス２は、店舗の外壁や外壁の一部を形成するガラスの壁や窓ガラスを構成することができる。
【００２５】
前面の広告紙３が店舗の外部から見ることができるように、ガラス付着式広告装置１は、室内に配置された状態で、外壁をなすガラス２の室内側の表面に固定ユニット２０を介して固定される。
【００２６】
広告紙３は、広告対象となる広告物の形状や当該広告物に関する営業の内容等を含む広告の画像を含み、その広告の画像はフレキシブルな薄層フィルムの態様で供され、印刷や付着等の方法で広告紙３に表示される。一例として、広告紙３はポリエチレンテレフタレート（Poly Ethylene Terephthalate；ＰＥＴ）フィルムで構成され、広告の画像は広告紙３に実写出力することができる。
【００２７】
広告紙３は、本体１０の前面に交換可能に配設することができる。このため、本体１０の前方には、透明な支持プレート４０が配設してあり、支持プレート４０と、本体１０の前面との間には、両側と下部の外郭縁に沿って支持台４１が設けられる。支持台４１は、本体１０の前面と支持プレート４０との間に接着して固定することができる。
【００２８】
支持プレート４０の外郭の周囲に沿う側面には、シルク印刷処理されたシルク印刷部４０ａが設けられる。そして、支持プレート４０を保護するともに、広告紙なしに広報の内容を直接表記したり、または削除したりできるように支持プレート４０の前面には、ハードコーティングフィルム（hard coating film）４０ｂをコーティングすることができる。ここで、シルク印刷部４０ａは、広告紙３の周囲の装飾効果を高める役割を担っている。
【００２９】
これにより、広告紙３は、本体１０の前面と支持プレート４０との間に支持されるように、本体１０の前方に取り付けた状態で、上部から引き出すことができ、自由に交換できる。
【００３０】
光源３０は、広告紙３が配置される本体１０の前方に光を照射するように本体１０に内蔵される。
【００３１】
本体１０は、光の拡散を可能に構成してある前面板１１と、前面に光源３０を設けた背面板１２と、前面板１１と背面板１２との間の外郭の周囲を囲む支持枠１３を備えることができる。
【００３２】
背面板１２は アクリロニトリル・ブタジエン・スチレン（ＡＢＳ）などの合成樹脂で構成してあり、光源３０としては、例えば複数のＬＥＤモジュール３１が用いられる。ＬＥＤモジュール３１は、帯状に長く形成された基板３１aと、基板３１aの上に一定間隔に配設した複数のＬＥＤ３１ｂと、を含んで構成できる。
【００３３】
背面板１２の後方側の面には、マーカーペン（marker pen）などで広報の内容を表記したり、表記した内容を簡単に消去できるようにハードコーティング（hard coating）処理できる。また、背面板１２の後方側の面には、営業の内容を知らせるための広報冊子などを収納可能なポケットなどがさらに設置できる。
【００３４】
ＬＥＤモジュール３１は、基板３１aの背面を介して背面板１２の前方側の面に配設できる。基板３１aには、外部電源の供給のための電源線（不図示）を接続することができ、ＬＥＤモジュール３１の周辺の背面板１２の内面には、ＬＥＤ３１ｂから照射される光を前方へ反射させるための反射面（不図示）が設けられる。なお、ＬＥＤモジュール３１に供給される電源は、電池や蓄電池で置き換えることができる。
【００３５】
前面板１１は、透明な合成樹脂パネルで設けられる。前面板１１の前方側の面には、ＬＥＤ３１ｂから照射される指向性を有する光を拡散させて照度偏差を減らすことができるように、光の拡散が可能になるよう光拡散処理された拡散照明シート１１ａを付着することができる。光源３０の光を拡散させる拡散照明シート１１ａは、本体１０の前面から光源３０が外部に露出されるのを防ぐ役割も担うことができる。支持枠１３を用いても光の拡散が可能になるように、場合により、支持枠１３を光拡散処理された素材を用いて形成したり、表面を光拡散処理することができる。
【００３６】
前面板１１と背面板１２とは、支持枠１３の前方と後方に接着剤によって接着して配設できる。
【００３７】
一方、本体１０には、中央の前方の上部から所定の長さに延長する延長部５０が一体に延設してある。そして、固定ユニット２０は、延長部５０に設けられる第１の固定部６０と、第１の固定部６０が固定されるように、ガラス２の表面に設けられる第２の固定部７０と、を有している。
【００３８】
延長部５０は、前面板１１の中央の上部において前面板１１と一体に設けられ、前面板１１と同一な厚さを有し、透明であり、前面板１１の成形のときに前面板１１と一体に設けられる。
【００３９】
第１の固定部６０は、第１のベルクロ部６１と掛け孔６２とを含み、第２の固定部７０は、第１のベルクロ部６１が引っ掛る第２のベルクロ部７１と、掛け孔６２に掛け止めるように設けられる掛け具７２と、を有している。
【００４０】
第１のベルクロ部６１と第２のベルクロ部７１とは、透明の材質で構成してある雌ベルクロ６１ａと雄ベルクロ７１ａの何れか一方を含んで構成することによって、互いに引っかかったり外れたりすることができる。
【００４１】
第１のベルクロ部６１は、雌ベルクロ６１ａと、雌ベルクロ６１ａを延長部５０の前面に接着させる接着層６１ｂと、を含むことができる。そして、第２のベルクロ部７１は、雄ベルクロ７１ａと、雄ベルクロ７１ａをガラス２の表面に接着させる接着層７１ｂと、を含むことができる。前記接着層６１ｂ，７１ｂは、第１の接着層を形成することができる。
【００４２】
接着層６１ｂ，７１ｂは、例えば両面テープの態様とすることができ、延長部５０の前面やガラス２の表面に付着される接着層６１ｂ，７１ｂの付着面は、付着の直前までは離型紙（不図示）で覆われて保護される。
【００４３】
そして、第１のベルクロ部６１と第２のベルクロ部７１とは、掛け孔６２が掛け具７２に掛けてある状態で、互いに一致するように設けられており、本体１０をガラス２の表面に固定させる作業がし易くなるようにしつつ、ガラス２の表面に対する本体１０の付着状態を長期間に亘って安定的に維持することができる。
【００４４】
なお、このような固定ユニット２０の構成によると、掛け孔６２を掛け具７２に掛けている状態で、延長部５０をガラス２の表面に向かって押し付けることによって、互いに一致している第１のベルクロ部６１と第２のベルクロ部７１とが、互いに引っ掛かって本体１０の固定作業が完了する。そのため、掛け孔６２を掛け具７２に掛けながら延長部５０をガラス２の表面に向かって押し付ける簡単な連続な動作によって、ガラス２の表面に対する本体１０の固定作業を迅速に行える。
【００４５】
また、このとき、掛け具７２による本体１０の支持力と、第１のベルクロ部６１および第２のベルクロ部７１の間の付着力と、が共に加わり、ガラス２の表面に対する本体１０の固定力を形成することになるので、固定ユニット２０を介して本体１０がガラス２の表面に固定された状態を、長期間に亘って安定的に維持することができる。
【００４６】
また、このように、本体１０を固定するベルクロ部と掛け構造とが本体１０の中央の上部に集中的に配置される固定ユニット２０の構造においては、本体１０の外郭縁に沿って配置される固定ユニット２０の分布領域を減らし、これにより、固定ユニット２０が店舗の外部に露出され難くなるため、店舗の外部から見た場合には、本体１０が空中浮揚された状態で、ガラス２に付着しているように見える効果をより高めることができる。
【００４７】
掛け孔６２は、第１のベルクロ部６１の上部の延長部５０において延長部５０を貫通するように設けられ、掛け具７２と第２のベルクロ部７１とは、掛け孔６２と第１のベルクロ部６１との位置に対応するようにガラス２の表面に上下に配置される。
【００４８】
従って、掛け孔６２を掛け具７２に引っ掛ける過程では、第１のベルクロ部６１と第２のベルクロ部７１とによる干渉を抑制することができる。
【００４９】
本体１０を水平に合わせた安定的な姿勢で、ガラス２の表面に固定させ易くなるようにするため、掛け孔６２および第１のベルクロ部６１を本体１０の中心線上の中心に配置し、中央の両側は対称を為すように設けられる。
【００５０】
また、掛け具７２を形成するために、ガラス２の表面に透明板材７３を付着してある。透明板材７３は、その前面が接着層７３ａを介して第１のベルクロ部６１の上側のガラス２の表面に付着され、掛け具７２は、透明板材７３の背面に透明板材７３の背面方向に突出するように設けられる。
【００５１】
これによって、掛け孔６２を掛け具７２に掛けている状態で、延長部５０の上部の前面は、透明板材７３の背面に安定的に支持されるが、このとき、第１の固定部６０が第２の固定部７０に固定された状態で、延長部５０の前面と透明板材７３の背面との間に隙間ができないように、互いに引っ掛かっている状態の第１のベルクロ部６１と第２のベルクロ部７１との厚さの合計を、透明板材７３および接着層７３ａとの厚さの合計と同様に設定することができる。前記接着層７３ａは、第２の接着層を形成することができる。
【００５２】
透明板材７３は、例えばポリカーボネート（Polycarbonate；ＰＣ）のように透明な樹脂材料を用いて、例えば円形や角形を呈する薄板の態様で構成してある。
【００５３】
耐光性が優れ、かつ衝撃強度が大きいポリカーボネート材質の透明板材７３は、強化ガラスなどで設けられるガラス２の表面に長期間に亘って接触した状態でも、破損し難く、外部の日光などに長時間に亘って晒された状態でも、変形し難い。
【００５４】
一実施形態におけるガラス付着式広告装置の一つの変形例を示した図４のように、掛け具７２は、上下方向に沿って複数設けられ、掛け孔６２は、複数の掛け具７２に同時に引っ掛かけて支持されるように掛け具７２の数に対応する複数個が延長部５０の延長方向に沿って設けられる。
【００５５】
従って、この際には、本体１０を支持する複数の掛け具７２で、本体１０の重量を分散させることができ、ガラス２の表面に配設される透明板材７３の数を調整することによって、本体１０を支持する掛け具７２の数を異ならせることができるため、本体１０の重量によってガラス２の表面に固定される本体１０の固定力を適切に選択することができる。
【００５６】
また、図５に示したように、他の変形例において、ガラス付着式広告装置１は、固定ユニット２０を覆うように本体１０が支持されるガラス２の反対側の表面に付着される隠蔽シート８０をさらに含むことができる。
【００５７】
隠蔽シート８０は、固定ユニット２０のサイズよりも大きいステッカーの態様で設けられ、店舗の外部側から固定ユニット２０を覆うようにガラス２の表面に付着することによって、店舗の外部に固定ユニット２０が露出することを完全に防止できる。
【００５８】
従って、本変形例によると、前述したように、本体１０が空中浮揚された状態で、ガラス２に付着されているように見える効果をより高めることができる。
【００５９】
隠蔽シート８０は、広告画像を備えて、広告紙３の広告効果を高めるために用いられる。
【００６０】
また、店の外部から見た場合、本体１０と隠蔽シート８０との間に隙間が形成されたり、延長部５０の底部の露出を防止するために、隠蔽シート８０は、その内郭線を本体１０の外郭線に合わせるようにガラス２の表面に付着することができる。
【産業上の利用可能性】
【００６１】
本考案は、ガラスに付着するガラス付着式広告装置に利用できる。
【符号の説明】
【００６２】
１          ガラス付着式広告装置
２          ガラス
３          広告紙
１０        本体
２０        固定ユニット
３０        光源
５０        延長部
６０        第１の固定部
６１        第１のベルクロ部
６１ａ      雌ベルクロ
６１ｂ      接着層（第１の接着層）
６２        掛け孔
７０        第２の固定部
７１        第２のベルクロ部
７１ａ      雄ベルクロ
７１ｂ      接着層（第１の接着層）
７２        掛け具
７３        透明板材
７３ａ      接着層（第２の接着層）
８０        隠蔽シート
【図１】
0003228578.tif 000003
【図２】
0003228578.tif 000004
【図３】
0003228578.tif 000005
【図４】
0003228578.tif 000006
【図５】
0003228578.tif 000007
【手続補正書】
【提出日】令和2年7月28日(2020.7.28)
【手続補正１】
【補正対象書類名】実用新案登録請求の範囲
【補正対象項目名】全文
【補正方法】変更
【補正の内容】
【実用新案登録請求の範囲】
【請求項１】
前方に支持される広告紙を照明するために、前方に光を照射する光源が内蔵されている本体と、
当該本体をガラスの表面に前面が支持された状態で固定させる固定ユニットと、
前記本体の中央の前方の上部に延設してある延長部と、を含み、
前記固定ユニットは、前記延長部に設けられる第１の固定部と、当該第１の固定部が固定されるように前記ガラスの表面に設けられる第２の固定部と、を含み、
前記第１の固定部は、雌面ファスナーおよび雄面ファスナーの何れかの一方が設けてある第１の面ファスナー部と、掛け孔と、を含み、
前記第２の固定部は、前記第１の面ファスナー部が引っ掛るように、前記雌面ファスナーおよび前記雄面ファスナーの何れかの他方が設けてある第２の面ファスナー部と、前記掛け孔に掛け止めるように設けられる掛け具と、を含み、
前記第１の面ファスナー部および前記第２の面ファスナー部は、前記掛け孔が前記掛け具に掛けてある状態で、互いに一致するガラス付着式広告装置。
【請求項２】
前記掛け孔は、前記第１の面ファスナー部の上部の前記延長部に設けられ、前記掛け具と前記第２の面ファスナー部とは、前記掛け孔と前記第１の面ファスナー部との位置に対応するように、前記ガラスの表面に上下に配置される請求項１記載のガラス付着式広告装置。
【請求項３】
前記第１の面ファスナー部および前記第２の面ファスナー部のそれぞれは、第１の接着層をさらに含んで、当該第１の接着層を介してそれぞれ前記延長部の前面および前記ガラスの表面に接着され、
前記掛け具がその背面から突き出すように設けられ、その前面が第２の接着層を介して前記ガラスの表面に付着し、前記掛け孔を前記掛け具に掛けている状態で、前記延長部の前面が、その背面に支持される透明板材をさらに含み、
互いに引っ掛かっている状態の前記第１の面ファスナー部および前記第２の面ファスナー部の厚さの合計は、前記透明板材および前記第２の接着層の厚さの合計と同様に設定してある請求項２記載のガラス付着式広告装置。
【請求項４】
前記掛け具は、上下方向に沿って複数設けられ、
前記掛け孔は、複数の前記掛け具に同時に引っ掛けて支持されるように、前記掛け具の数に対応して複数設けられ、複数の前記掛け孔は、前記延長部の延長方向に沿って設けられる請求項３記載のガラス付着式広告装置。
【請求項５】
前記固定ユニットを覆うように、前記本体が支持される前記ガラスの反対側の表面に付着される隠蔽シートをさらに含み、
当該隠蔽シートの内郭線は、前記本体の外郭線に合わせてある請求項１記載のガラス付着式広告装置。
【手続補正２】
【補正対象書類名】明細書
【補正対象項目名】全文
【補正方法】変更
【補正の内容】
【考案の詳細な説明】
【技術分野】
【０００１】
本考案は、ガラスに付着するガラス付着式広告装置に関する。
【背景技術】
【０００２】
近年、ガラスの表面に付着するガラス付着式広告装置が多く利用されている。ガラス付着式広告装置は、前面の広告画像が店舗の外部に表示されるよう店舗のガラスの内面側に付着し、室内に配設するのが一般的である。
【０００３】
室内に配設するガラス付着式広告装置は、通行人によって破損される虞が少ない。また、ガラス付着式広告装置は、広告画像の視認性を高めるために広告画像に光を照射するための照明装置などをさらに備えるものもある。室内に配設するガラス付着式広告装置は、照明装置を保護するための別の防水構造を備える必要がなくなり、製造においても経済的な利点を有する。
【０００４】
ガラス付着式広告装置の設置の際には、通常、外周縁に沿って配置される複数の吸盤によってガラスの表面に付着した状態で固定される。吸盤は、広告ユニットが空中浮揚された状態でガラスに付着しているように見せるために、透明または半透明の材質を用いることにより、設置状態の広告装置に神秘感を与えることができる。
【０００５】
しかし、このようなガラス付着式広告装置は、外周縁に配置される多数の吸盤をガラスの表面に固定する過程があるため、設置作業に時間を要する可能性がある。
【０００６】
また、真空圧にて付着力を維持する吸盤は、経時的にその内部に空気が侵入すると真空状態が弱まるため、ガラス付着式広告装置を長期間に亘って設置面に付着するには限界がある。
【０００７】
また、透明または半透明の吸盤の場合、ガラスとの質感の違いがあるため、その位置が外部から視認される可能性がある。さらに、このような多数の吸盤を外周縁に沿って配置するガラス付着式広告装置は、神秘感を与えるために空中浮揚しているように見せることにも限界がある。
【考案の概要】
【考案が解決しようとする課題】
【０００８】
従って、本考案の目的は、本体をガラスの表面に容易に固定できるだけでなく、ガラスの表面に対する本体の付着状態を長期間に亘って安定的に維持することができるガラス付着式広告装置を提供することにある。
【０００９】
また、本考案の目的は、本体が空中浮揚した状態で、ガラスに付着しているように見える効果をさらに高めることができるガラス付着式広告装置を提供することにある。
【課題を解決するための手段】
【００１０】
すなわち、本考案に係るガラス付着式広告装置は、前方に支持される広告紙を照明するために、前方に光を照射する光源が内蔵されている本体と、当該本体をガラスの表面に前面が支持された状態で固定させる固定ユニットと、前記本体の中央の前方の上部に延設してある延長部と、を含み、前記固定ユニットは、前記延長部に設けられる第１の固定部と、当該第１の固定部が固定されるように前記ガラスの表面に設けられる第２の固定部と、を含み、前記第１の固定部は、雌面ファスナーおよび雄面ファスナーの何れかの一方が設けてある第１の面ファスナー部と、掛け孔と、を含み、前記第２の固定部は、前記第１の面ファスナー部が引っ掛るように、前記雌面ファスナーおよび前記雄面ファスナーの何れかの他方が設けてある第２の面ファスナー部と、前記掛け孔に掛け止めるように設けられる掛け具と、を含み、前記第１の面ファスナー部および前記第２の面ファスナー部は、前記掛け孔が前記掛け具に掛けてある状態で、互いに一致することを特徴とする。
【００１１】
また、前記掛け孔は、前記第１の面ファスナー部の上部の前記延長部に設けられ、前記掛け具と前記第２の面ファスナー部とは、前記掛け孔と前記第１の面ファスナー部との位置に対応するように、前記ガラスの表面に上下に配置されることを特徴とする。
【００１２】
また、前記第１の面ファスナー部および前記第２の面ファスナー部のそれぞれは、第１の接着層をさらに含んで、当該第１の接着層を介してそれぞれ前記延長部の前面および前記ガラスの表面に接着され、前記掛け具がその背面から突き出すように設けられ、その前面が第２の接着層を介して前記ガラスの表面に付着し、前記掛け孔を前記掛け具に掛けている状態で、前記延長部の前面が、その背面に支持される透明板材をさらに含み、互いに引っ掛かっている状態の前記第１の面ファスナー部および前記第２の面ファスナー部の厚さの合計は、前記透明板材および前記第２の接着層の厚さと同様に設定してあることを特徴とする。
【００１３】
また、前記掛け具は、上下方向に沿って複数設けられ、前記掛け孔は、複数の前記掛け具に同時に掛けて支持されるように、前記掛け具の数に対応して複数設けられ、複数の前記掛け孔は、前記延長部の延長方向に沿って設けられることを特徴とする。
【００１４】
また、前記固定ユニットを覆うように、前記本体が支持される前記ガラスの反対側の表面に付着される隠蔽シートをさらに含み、当該隠蔽シートの内郭線は、前記本体の外郭線に合わせてあることを特徴とする。
【考案の効果】
【００１５】
本考案の一つの実施形態に係るガラス付着式広告装置によれば、固定ユニットにおける簡単な掛け構造と面ファスナー（例えばベルクロ（登録商標））の付着力とを用いて、本体をガラスの表面に固定するので、本体をガラスの表面に容易に固定することはもちろん、ガラスの表面に対する本体の付着状態を長期間に亘って安定的に維持することができる。
【００１６】
また、本考案の一つの実施形態に係るガラス付着式広告装置は、本体の外周縁に沿って配置される固定ユニットの分布領域を減らしたり、または固定ユニットの露出を防止することができるため、本体が空中浮揚された状態でガラスに付着しているように見える効果をさらに高めることができる。
【図面の簡単な説明】
【００１７】
【図１】一実施形態におけるガラス付着式広告装置の分解斜視図である。
【図２】図１に示したガラス付着式広告装置の組立斜視図である。
【図３】図２に示したガラス付着式広告装置が、ガラスの表面に付着される過程を示した断面図である。
【図４】一実施形態におけるガラス付着式広告装置の一変形例として、ガラスの表面に付着される過程を示した断面図である。
【図５】一実施形態におけるガラス付着式広告装置の他の変形例を示した断面図である。
【考案を実施するための形態】
【００１８】
以下、本考案の実施形態を添付図面を参照して詳細に説明する。下記で紹介する実施形態は本考案が属する技術分野で通常の知識を有した者に本考案の思想を十分に伝達するために提示するものである。本考案は提示する実施形態だけに限定されず、他の形態でも具体化され得る。図面は本考案を明確にするために、説明と関係のない部分の図示を省略することができ、理解のために構成要素の大きさなどを多少誇張して表現することができる
【００１９】
図１および図２は、一実施形態におけるガラス付着式広告装置の分解斜視図および組立斜視図であり、また、図３は、一実施形態におけるガラス付着式広告装置が、ガラスの表面に付着される過程を示した断面図である。
【００２０】
図１ないし図３に示したように、一実施形態におけるガラス付着式広告装置１は、本体１０と、本体１０をガラス２の表面に固定させる固定ユニット２０と、を備える。
【００２１】
本体１０の前方には広告紙３が支持され、本体１０の内部には、広告紙３を照明するために前方へ光を照射する光源３０が内蔵される。
【００２２】
本体１０は矩形の厚みの薄い筐体で構成してあり、固定ユニット２０は、本体１０の前面がガラス２の表面に支持された状態で、ガラス２の表面に本体１０を固定させることができる。
【００２３】
このようなガラス付着式広告装置１は、固定ユニット２０を介してガラス２の表面に直接固定された状態で、光源３０の光によって本体１０の前面の広告紙３を照明することによって、広告紙３に表示される画像を視覚的に目立つようにすることができる。
【００２４】
ガラス付着式広告装置１は、店舗の広告用として利用でき、前記ガラス２は、店舗の外壁や外壁の一部を形成するガラスの壁や窓ガラスを構成することができる。
【００２５】
前面の広告紙３が店舗の外部から見ることができるように、ガラス付着式広告装置１は、室内に配置された状態で、外壁をなすガラス２の室内側の表面に固定ユニット２０を介して固定される。
【００２６】
広告紙３は、広告対象となる広告物の形状や当該広告物に関する営業の内容等を含む広告の画像を含み、その広告の画像はフレキシブルな薄層フィルムの態様で供され、印刷や付着等の方法で広告紙３に表示される。一例として、広告紙３はポリエチレンテレフタレート（Poly Ethylene Terephthalate；ＰＥＴ）フィルムで構成され、広告の画像は広告紙３に実写出力することができる。
【００２７】
広告紙３は、本体１０の前面に交換可能に配設することができる。このため、本体１０の前方には、透明な支持プレート４０が配設してあり、支持プレート４０と、本体１０の前面との間には、両側と下部の外郭縁に沿って支持台４１が設けられる。支持台４１は、本体１０の前面と支持プレート４０との間に接着して固定することができる。
【００２８】
支持プレート４０の外郭の周囲に沿う側面には、シルク印刷処理されたシルク印刷部４０ａが設けられる。そして、支持プレート４０を保護するともに、広告紙なしに広報の内容を直接表記したり、または削除したりできるように支持プレート４０の前面には、ハードコーティングフィルム（hard coating film）４０ｂをコーティングすることができる。ここで、シルク印刷部４０ａは、広告紙３の周囲の装飾効果を高める役割を担っている。
【００２９】
これにより、広告紙３は、本体１０の前面と支持プレート４０との間に支持されるように、本体１０の前方に取り付けた状態で、上部から引き出すことができ、自由に交換できる。
【００３０】
光源３０は、広告紙３が配置される本体１０の前方に光を照射するように本体１０に内蔵される。
【００３１】
本体１０は、光の拡散を可能に構成してある前面板１１と、前面に光源３０を設けた背面板１２と、前面板１１と背面板１２との間の外郭の周囲を囲む支持枠１３を備えることができる。
【００３２】
背面板１２は アクリロニトリル・ブタジエン・スチレン（ＡＢＳ）などの合成樹脂で構成してあり、光源３０としては、例えば複数のＬＥＤモジュール３１が用いられる。ＬＥＤモジュール３１は、帯状に長く形成された基板３１aと、基板３１aの上に一定間隔に配設した複数のＬＥＤ３１ｂと、を含んで構成できる。
【００３３】
背面板１２の後方側の面には、マーカーペン（marker pen）などで広報の内容を表記したり、表記した内容を簡単に消去できるようにハードコーティング（hard coating）処理できる。また、背面板１２の後方側の面には、営業の内容を知らせるための広報冊子などを収納可能なポケットなどがさらに設置できる。
【００３４】
ＬＥＤモジュール３１は、基板３１aの背面を介して背面板１２の前方側の面に配設できる。基板３１aには、外部電源の供給のための電源線（不図示）を接続することができ、ＬＥＤモジュール３１の周辺の背面板１２の内面には、ＬＥＤ３１ｂから照射される光を前方へ反射させるための反射面（不図示）が設けられる。なお、ＬＥＤモジュール３１に供給される電源は、電池や蓄電池で置き換えることができる。
【００３５】
前面板１１は、透明な合成樹脂パネルで設けられる。前面板１１の前方側の面には、ＬＥＤ３１ｂから照射される指向性を有する光を拡散させて照度偏差を減らすことができるように、光の拡散が可能になるよう光拡散処理された拡散照明シート１１ａを付着することができる。光源３０の光を拡散させる拡散照明シート１１ａは、本体１０の前面から光源３０が外部に露出されるのを防ぐ役割も担うことができる。支持枠１３を用いても光の拡散が可能になるように、場合により、支持枠１３を光拡散処理された素材を用いて形成したり、表面を光拡散処理することができる。
【００３６】
前面板１１と背面板１２とは、支持枠１３の前方と後方に接着剤によって接着して配設できる。
【００３７】
一方、本体１０には、中央の前方の上部から所定の長さに延長する延長部５０が一体に延設してある。そして、固定ユニット２０は、延長部５０に設けられる第１の固定部６０と、第１の固定部６０が固定されるように、ガラス２の表面に設けられる第２の固定部７０と、を有している。
【００３８】
延長部５０は、前面板１１の中央の上部において前面板１１と一体に設けられ、前面板１１と同一な厚さを有し、透明であり、前面板１１の成形のときに前面板１１と一体に設けられる。
【００３９】
第１の固定部６０は、第１の面ファスナー部６１と掛け孔６２とを含み、第２の固定部７０は、第１の面ファスナー部６１が引っ掛る第２の面ファスナー部７１と、掛け孔６２に掛け止めるように設けられる掛け具７２と、を有している。
【００４０】
第１の面ファスナー部６１と第２の面ファスナー部７１とは、透明の材質で構成してある雌面ファスナー６１ａと雄面ファスナー７１ａの何れか一方を含んで構成することによって、互いに引っかかったり外れたりすることができる。
【００４１】
第１の面ファスナー部６１は、雌面ファスナー６１ａと、雌面ファスナー６１ａを延長部５０の前面に接着させる接着層６１ｂと、を含むことができる。そして、第２の面ファスナー部７１は、雄面ファスナー７１ａと、雄面ファスナー７１ａをガラス２の表面に接着させる接着層７１ｂと、を含むことができる。前記接着層６１ｂ，７１ｂは、第１の接着層を形成することができる。
【００４２】
接着層６１ｂ，７１ｂは、例えば両面テープの態様とすることができ、延長部５０の前面やガラス２の表面に付着される接着層６１ｂ，７１ｂの付着面は、付着の直前までは離型紙（不図示）で覆われて保護される。
【００４３】
そして、第１の面ファスナー部６１と第２の面ファスナー部７１とは、掛け孔６２が掛け具７２に掛けてある状態で、互いに一致するように設けられており、本体１０をガラス２の表面に固定させる作業がし易くなるようにしつつ、ガラス２の表面に対する本体１０の付着状態を長期間に亘って安定的に維持することができる。
【００４４】
なお、このような固定ユニット２０の構成によると、掛け孔６２を掛け具７２に掛けている状態で、延長部５０をガラス２の表面に向かって押し付けることによって、互いに一致している第１の面ファスナー部６１と第２の面ファスナー部７１とが、互いに引っ掛かって本体１０の固定作業が完了する。そのため、掛け孔６２を掛け具７２に掛けながら延長部５０をガラス２の表面に向かって押し付ける簡単な連続な動作によって、ガラス２の表面に対する本体１０の固定作業を迅速に行える。
【００４５】
また、このとき、掛け具７２による本体１０の支持力と、第１の面ファスナー部６１および第２の面ファスナー部７１の間の付着力と、が共に加わり、ガラス２の表面に対する本体１０の固定力を形成することになるので、固定ユニット２０を介して本体１０がガラス２の表面に固定された状態を、長期間に亘って安定的に維持することができる。
【００４６】
また、このように、本体１０を固定する面ファスナー部と掛け構造とが本体１０の中央の上部に集中的に配置される固定ユニット２０の構造においては、本体１０の外郭縁に沿って配置される固定ユニット２０の分布領域を減らし、これにより、固定ユニット２０が店舗の外部に露出され難くなるため、店舗の外部から見た場合には、本体１０が空中浮揚された状態で、ガラス２に付着しているように見える効果をより高めることができる。
【００４７】
掛け孔６２は、第１の面ファスナー部６１の上部の延長部５０において延長部５０を貫通するように設けられ、掛け具７２と第２の面ファスナー部７１とは、掛け孔６２と第１の面ファスナー部６１との位置に対応するようにガラス２の表面に上下に配置される。
【００４８】
従って、掛け孔６２を掛け具７２に引っ掛ける過程では、第１の面ファスナー部６１と第２の面ファスナー部７１とによる干渉を抑制することができる。
【００４９】
本体１０を水平に合わせた安定的な姿勢で、ガラス２の表面に固定させ易くなるようにするため、掛け孔６２および第１の面ファスナー部６１を本体１０の中心線上の中心に配置し、中央の両側は対称を為すように設けられる。
【００５０】
また、掛け具７２を形成するために、ガラス２の表面に透明板材７３を付着してある。
透明板材７３は、その前面が接着層７３ａを介して第１の面ファスナー部６１の上側のガラス２の表面に付着され、掛け具７２は、透明板材７３の背面に透明板材７３の背面方向に突出するように設けられる。
【００５１】
これによって、掛け孔６２を掛け具７２に掛けている状態で、延長部５０の上部の前面は、透明板材７３の背面に安定的に支持されるが、このとき、第１の固定部６０が第２の固定部７０に固定された状態で、延長部５０の前面と透明板材７３の背面との間に隙間ができないように、互いに引っ掛かっている状態の第１の面ファスナー部６１と第２の面ファスナー部７１との厚さの合計を、透明板材７３および接着層７３ａとの厚さの合計と同様に設定することができる。前記接着層７３ａは、第２の接着層を形成することができる。
【００５２】
透明板材７３は、例えばポリカーボネート（Polycarbonate；ＰＣ）のように透明な樹脂材料を用いて、例えば円形や角形を呈する薄板の態様で構成してある。
【００５３】
耐光性が優れ、かつ衝撃強度が大きいポリカーボネート材質の透明板材７３は、強化ガラスなどで設けられるガラス２の表面に長期間に亘って接触した状態でも、破損し難く、外部の日光などに長時間に亘って晒された状態でも、変形し難い。
【００５４】
一実施形態におけるガラス付着式広告装置の一つの変形例を示した図４のように、掛け具７２は、上下方向に沿って複数設けられ、掛け孔６２は、複数の掛け具７２に同時に引っ掛かけて支持されるように掛け具７２の数に対応する複数個が延長部５０の延長方向に沿って設けられる。
【００５５】
従って、この際には、本体１０を支持する複数の掛け具７２で、本体１０の重量を分散させることができ、ガラス２の表面に配設される透明板材７３の数を調整することによって、本体１０を支持する掛け具７２の数を異ならせることができるため、本体１０の重量によってガラス２の表面に固定される本体１０の固定力を適切に選択することができる。
【００５６】
また、図５に示したように、他の変形例において、ガラス付着式広告装置１は、固定ユニット２０を覆うように本体１０が支持されるガラス２の反対側の表面に付着される隠蔽シート８０をさらに含むことができる。
【００５７】
隠蔽シート８０は、固定ユニット２０のサイズよりも大きいステッカーの態様で設けられ、店舗の外部側から固定ユニット２０を覆うようにガラス２の表面に付着することによって、店舗の外部に固定ユニット２０が露出することを完全に防止できる。
【００５８】
従って、本変形例によると、前述したように、本体１０が空中浮揚された状態で、ガラス２に付着されているように見える効果をより高めることができる。
【００５９】
隠蔽シート８０は、広告画像を備えて、広告紙３の広告効果を高めるために用いられる。
【００６０】
また、店の外部から見た場合、本体１０と隠蔽シート８０との間に隙間が形成されたり、延長部５０の底部の露出を防止するために、隠蔽シート８０は、その内郭線を本体１０の外郭線に合わせるようにガラス２の表面に付着することができる。
【産業上の利用可能性】
【００６１】
本考案は、ガラスに付着するガラス付着式広告装置に利用できる。
【符号の説明】
【００６２】
１          ガラス付着式広告装置
２          ガラス
３          広告紙
１０        本体
２０        固定ユニット
３０        光源
５０        延長部
６０        第１の固定部
６１        第１の面ファスナー部
６１ａ      雌面ファスナー
６１ｂ      接着層（第１の接着層）
６２        掛け孔
７０        第２の固定部
７１        第２の面ファスナー部
７１ａ      雄面ファスナー
７１ｂ      接着層（第１の接着層）
７２        掛け具
７３        透明板材
７３ａ      接着層（第２の接着層）
８０        隠蔽シート